【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
操作対象であるオブジェクトを含む画像を表示する画像表示部と、指の接触位置を時間経過に応じて逐次出力するタッチパネルとを備えており、ドラッグ操作を、当該指の接触位置の移動として規定するユーザインタフェース装置であって、
前記タッチパネルに接触した当該指によって与えられる押圧力を検出する押圧力検出部と、
当該押圧力が所定閾値以上であるか否かを判定する押圧力判定手段と、
当該指の接触位置が、所定時間以上継続して変化しなかったか否かを判定する接触時間判定手段と、
前記接触時間判定手段が真の判定を行った際、前記ドラッグ操作が行われるモードではなく、当該オブジェクトを含む画像全体を移動させることなく固定した状態で当該指の接触位置をモニタする「タッチフォーカス」モードを動作させるモード動作手段と、
当該指の接触位置が当該オブジェクトの表示位置範囲と重畳したか否かを判定する接触位置判定手段と、
前記「タッチフォーカス」モードの動作下で、前記接触位置判定手段が真の判定を行った際、当該オブジェクトがユーザによって選択された旨を表す「フォーカス」操作が行われたと判定して対応する動作を発動させる操作判定制御手段と
を有しており、
前記操作判定制御手段は、当該指が接触した後であって前記接触時間判定手段が判定を行う前に、前記接触位置判定手段が真の判定を行うと共に前記押圧力判定手段が真の判定を行った際、当該オブジェクトの機能を発動させる「クリック」操作が行われたと判定して対応する動作を発動させる
ことを特徴とするユーザインタフェース装置。
【請求項２】
前記操作判定制御手段は、前記「タッチフォーカス」モードの動作下で、前記接触位置判定手段が真の判定を行うと共に前記押圧力判定手段が真の判定を行った際、前記「クリック」操作が行われたと判定して対応する動作を発動させることを特徴とする請求項１に記載のユーザインタフェース装置。
【請求項３】
前記タッチパネルに接触した当該指に対して触覚応答を与える触覚応答機構部と、
前記操作判定制御手段が前記「フォーカス」操作であるとの判定を行った場合、当該指に対して前記タッチパネルを介して触覚応答を与えるべく前記触覚応答機構部を制御する触覚応答制御手段と
を更に有することを特徴とする請求項１又は２に記載のユーザインタフェース装置。
【請求項４】
前記触覚応答制御手段は、当該指に物理的な押下ボタンの存在を感じさせる振動を与えるように前記触覚応答機構部を制御することを特徴とする請求項３に記載のユーザインタフェース装置。
【請求項５】
前記所定時間は、ユーザの操作から見て、前記ドラッグ操作を意図した際に当該指が接触してから次いで移動を開始するまでに平均的に要する時間よりも長く設定され、且つ当該オブジェクトを選択する操作を意図した際に当該指が接触してから次いで移動を開始するまでに平均的に要する時間よりも短く設定されることを特徴とする請求項１から４のいずれか１項に記載のユーザインタフェース装置。
【請求項６】
前記モード動作手段は、ユーザの操作から見て、
当該指をタッチパネルに接触させた直後に当該指を移動させた場合、画像全体を移動させるドラッグ操作が行われる「ドラッグ」モードを動作させ、
当該指をタッチパネルに接触させ且つ少なくとも前記所定時間だけその接触位置を維持した場合、前記「タッチフォーカス」モードを動作させる
ことを特徴とする請求項１から５のいずれか１項に記載のユーザインタフェース装置。
【請求項７】
操作対象であるオブジェクトを含む画像を表示する画像表示部と、指の接触位置を時間経過に応じて逐次出力するタッチパネルとを備えており、ドラッグ操作を、当該指の接触位置の移動として規定するユーザインタフェース装置に搭載されたプログラムであって、
前記ユーザインタフェース装置が、前記タッチパネルに接触した当該指によって与えられる押圧力を検出する押圧力検出部を備えており、
前記プログラムが、
当該押圧力が所定閾値以上であるか否かを判定する押圧力判定手段と、
当該指の接触位置が、所定時間以上継続して変化しなかったか否かを判定する接触時間判定手段と、
前記接触時間判定手段が真の判定を行った際、前記ドラッグ操作が行われるモードではなく、当該オブジェクトを含む画像全体を移動させることなく固定した状態で当該指の接触位置をモニタする「タッチフォーカス」モードを動作させるモード動作手段と、
当該指の接触位置が当該オブジェクトの表示位置範囲と重畳したか否かを判定する接触位置判定手段と、
前記「タッチフォーカス」モードの動作下で、前記接触位置判定手段が真の判定を行った際、当該オブジェクトがユーザによって選択された旨を表す「フォーカス」操作が行われたと判定して対応する動作を発動させ、当該指が接触した後であって前記接触時間判定手段が判定を行う前に、前記接触位置判定手段が真の判定を行うと共に前記押圧力判定手段が真の判定を行った際、前記「クリック」操作が行われたと判定して対応する動作を発動させる操作判定制御手段と
してコンピュータを機能させることを特徴とするユーザインタフェース装置用のプログラム。
【請求項８】
操作対象であるオブジェクトを含む画像を表示する画像表示部と、指の接触位置を時間経過に応じて逐次出力するタッチパネルとを備えており、ドラッグ操作を、当該指の接触位置の移動として規定するユーザインタフェース装置における入力操作判定方法であって、
前記タッチパネルに接触した当該指によって与えられる押圧力を検出する第１のステップと、
当該押圧力が所定閾値以上であるか否かを判定する第２のステップと、
第２のステップで偽の判定が行われた際、当該指の接触位置が、所定時間以上継続して変化しなかったか否かを判定する第３のステップと、
第３のステップで真の判定が行われた際、前記ドラッグ操作が行われるモードではなく、当該オブジェクトを含む画像全体を移動させることなく固定した状態で当該指の接触位置をモニタする「タッチフォーカス」モードを動作させる第４のステップと、
前記「タッチフォーカス」モードが設定された際、当該指の接触位置が当該オブジェクトの表示位置範囲と重畳したか否かを判定する第５のステップと、
第５のステップで真の判定が行われた際、当該オブジェクトがユーザによって選択された旨を表す「フォーカス」操作が行われたと判定し、対応する動作を実行させる第６のステップと、
第２のステップで真の判定が行われた際、当該指の接触位置が当該オブジェクトの表示位置範囲と重畳したと判定され且つ当該押圧力が所定閾値以上であると判定された際、当該オブジェクトの機能を発動させる「クリック」操作が行われたと判定して対応する動作を発動させる第７のステップと
を有することを特徴とする入力操作判定方法。
【手続補正２】
【補正対象書類名】明細書
【補正対象項目名】００１４
【補正方法】変更
【補正の内容】
【００１４】
本発明によれば、操作対象であるオブジェクトを含む画像を表示する画像表示部と、指の接触位置を時間経過に応じて逐次出力するタッチパネルとを備えており、ドラッグ操作を、当該指の接触位置の移動として規定するユーザインタフェース装置であって、
タッチパネルに接触した当該指によって与えられる押圧力を検出する押圧力検出部と、
当該押圧力が所定閾値以上であるか否かを判定する押圧力判定手段と、
当該指の接触位置が、所定時間以上継続して変化しなかったか否かを判定する接触時間判定手段と、
接触時間判定手段が真の判定を行った際、ドラッグ操作が行われるモードではなく、当該オブジェクトを含む画像全体を移動させることなく固定した状態で当該指の接触位置をモニタする「タッチフォーカス」モードを動作させるモード動作手段と、
当該指の接触位置が当該オブジェクトの表示位置範囲と重畳したか否かを判定する接触位置判定手段と、
「タッチフォーカス」モードの動作下で、接触位置判定手段が真の判定を行った際、当該オブジェクトがユーザによって選択された旨を表す「フォーカス」操作が行われたと判定して対応する動作を発動させる操作判定制御手段と
を有しており、
操作判定制御手段は、当該指が接触した後であって接触時間判定手段が判定を行う前に、接触位置判定手段が真の判定を行うと共に押圧力判定手段が真の判定を行った際、当該オブジェクトの機能を発動させる「クリック」操作が行われたと判定して対応する動作を発動させる
ことを特徴とするユーザインタフェース装置が提供される。
【手続補正３】
【補正対象書類名】明細書
【補正対象項目名】００１９
【補正方法】変更
【補正の内容】
【００１９】
本発明によれば、さらに、操作対象であるオブジェクトを含む画像を表示する画像表示部と、指の接触位置を時間経過に応じて逐次出力するタッチパネルとを備えており、ドラッグ操作を、当該指の接触位置の移動として規定するユーザインタフェース装置に搭載されたプログラムであって、
ユーザインタフェース装置が、タッチパネルに接触した当該指によって与えられる押圧力を検出する押圧力検出部を備えており、
本プログラムが、
当該押圧力が所定閾値以上であるか否かを判定する押圧力判定手段と、
当該指の接触位置が、所定時間以上継続して変化しなかったか否かを判定する接触時間判定手段と、
接触時間判定手段が真の判定を行った際、ドラッグ操作が行われるモードではなく、当該オブジェクトを含む画像全体を移動させることなく固定した状態で当該指の接触位置をモニタする「タッチフォーカス」モードを動作させるモード動作手段と、
当該指の接触位置が当該オブジェクトの表示位置範囲と重畳したか否かを判定する接触位置判定手段と、
「タッチフォーカス」モードの動作下で、接触位置判定手段が真の判定を行った際、当該オブジェクトがユーザによって選択された旨を表す「フォーカス」操作が行われたと判定して対応する動作を発動させ、当該指が接触した後であって接触時間判定手段が判定を行う前に、接触位置判定手段が真の判定を行うと共に押圧力判定手段が真の判定を行った際、「クリック」操作が行われたと判定して対応する動作を発動させる操作判定制御手段と
してコンピュータを機能させるユーザインタフェース装置用のプログラムが提供される。
【手続補正４】
【補正対象書類名】明細書
【補正対象項目名】００２０
【補正方法】変更
【補正の内容】
【００２０】
本発明によれば、さらにまた、操作対象であるオブジェクトを含む画像を表示する画像表示部と、指の接触位置を時間経過に応じて逐次出力するタッチパネルとを備えており、ドラッグ操作を、当該指の接触位置の移動として規定するユーザインタフェース装置における入力操作判定方法であって、
タッチパネルに接触した当該指によって与えられる押圧力を検出する第１のステップと、
当該押圧力が所定閾値以上であるか否かを判定する第２のステップと、
第２のステップで偽の判定が行われた際、当該指の接触位置が、所定時間以上継続して変化しなかったか否かを判定する第３のステップと、
第３のステップで真の判定が行われた際、ドラッグ操作が行われるモードではなく、当該オブジェクトを含む画像全体を移動させることなく固定した状態で当該指の接触位置をモニタする「タッチフォーカス」モードを動作させる第４のステップと、
「タッチフォーカス」モードが設定された際、当該指の接触位置が当該オブジェクトの表示位置範囲と重畳したか否かを判定する第５のステップと、
第５のステップで真の判定が行われた際、当該オブジェクトがユーザによって選択された旨を表す「フォーカス」操作が行われたと判定し、対応する動作を実行させる第６のステップと、
第２のステップで真の判定が行われた際、当該指の接触位置が当該オブジェクトの表示位置範囲と重畳したと判定され且つ当該押圧力が所定閾値以上であると判定された際、当該オブジェクトの機能を発動させる「クリック」操作が行われたと判定して対応する動作を発動させる第７のステップと
を有する入力操作判定方法が提供される。